(57)【要約】【課題】デザインを自由かつ大きく変更することができ、製造コストの低減を図ることができるパーツ取替型ユニフォームを提供する。【解決手段】このパーツ取替型ユニフォーム１０は、前身頃２１、後身頃２３、及び左右一対の袖２７を有するユニフォーム本体２０を有し、ユニフォーム本体２０には、襟２９、左右の肩３３、左右の脇２５、前記前身頃２１の裾４３に、それぞれ留め手段が設けられ、ユニフォーム本体２０には、前身頃２１の前面に配置される飾り胸当５０、襟２９の周縁に配置される飾り襟５２、左右の肩３３の一方から左右反対側の裾４３に斜めに配置される環状の飾りたすき５５、左右の肩３３の一方から左右反対側の裾４３に斜めにかつ前身頃２１の前面に配置される飾り帯５７から選ばれた、少なくとも一つの取替パーツが、留め手段を介して着脱可能に取付けられるように構成されている。【選択図】図９
2010261129.tif 000002
【特許請求の範囲】
【請求項１】
前身頃、後身頃、及び左右一対の袖を有するユニフォーム本体を有し、該ユニフォーム本体には、襟、左右の肩、左右の脇、前記前身頃の裾に、それぞれ留め手段が設けられており、
前記ユニフォーム本体には、前記前身頃の前面に配置される飾り胸当、前記襟の周縁に配置される飾り襟、前記左右の肩の一方から左右反対側の裾に斜めに配置される環状の飾りたすき、及び前記左右の肩の一方から左右反対側の裾に斜めにかつ前記前身頃の前面に配置される飾り帯から選ばれた、少なくとも一つの取替パーツが、前記留め手段を介して着脱可能に取付けられるように構成されていることを特徴とするパーツ取替型ユニフォーム。
【請求項２】
前記ユニフォーム本体の左右の肩には肩章が配置され、この肩章で覆われた部分に前記留め手段が設けられており、
同ユニフォーム本体の脇には、前記留め手段を有する帯状片が延設されていると共に、同帯状片を収容可能なポケットが形成されており、
更に前記前身頃の裾の裏側に前記留め手段が設けられている請求項１記載のパーツ取替型ユニフォーム。
【請求項３】
前記留め手段は、面ファスナーの雄又は雌部材で構成されており、前記取替パーツには、前記留め手段に係合可能な雌又は雄の面ファスナーが取付けられている請求項１〜３のいずれか１つに記載のパーツ取替型ユニフォーム。
【請求項４】
前記取替パーツは、前記ユニフォーム本体の各袖の先端外周に配置され、同袖の長さを延長する延長袖である請求項１又は２記載のパーツ取替型ユニフォーム。
【発明の詳細な説明】
【技術分野】
【０００１】
本発明は、例えば、マーチングバンドにおける楽器奏者などが着用するのに好適なパーツ取替型ユニフォームに関する。
【背景技術】
【０００２】
例えば、イベント時には、歩きながら楽器を演奏するマーチングバンドによるパレードが行われる場合がある。このマーチングバンドは、管楽器や打楽器の奏者、カラーガード（フラッグやサーベル等の手具で演技をする者）、バトントワラー（指揮杖等を用いて演技をする者）などの多様なメンバーで構成されている。各構成員は、様々なデザインが施されたり、装飾品が取付けられたりしたユニフォームを着用している。
【０００３】
この種のユニフォームは、ユーザーごとに異なるデザインのものが用いられている。しかし、ユーザーごとに異なるデザインとするため、メーカーは、オリジナルデザインを施したユニフォームを、ユーザーごとに製造しなければならず、コストが増大するという不都合が生じていた。
【０００４】
一方、衣服の見た目を変更できる技術として、下記特許文献１には、衣料の身頃縁部に襟を着脱可能に取付けることができる、襟取り付け構造が開示されている。この構造では、衣料の身頃縁部に襟を着脱できるため、着用者の好みに応じて、襟を付けた状態又は襟を付けない状態に適宜選択することができ、見た目を変更できるようになっている。
【先行技術文献】
【特許文献】
【０００５】
【特許文献１】実開平６−４０１９号公報
【発明の概要】
【発明が解決しようとする課題】
【０００６】
上記特許文献１では、衣料の身頃縁部に対して襟を着脱可能に取付けることができるが、襟を着脱可能にしただけでは、襟周辺の見た目が変わるだけで、衣服全体のデザインを大きく変更することはできない。そのため、オリジナルデザインのユニフォームが必要な場合、上記構造を適用しただけでは不十分で、新たにユニフォームを製造しなければならないことに変わりはなく、製造コストの低減を図ることは難しい。
【０００７】
したがって、本発明の目的は、デザインを自由にかつ大きく変更することができ、製造コストの低減を図ることができる、パーツ取替型ユニフォームを提供することにある。
【課題を解決するための手段】
【０００８】
上記目的を達成するため、本発明のパーツ取替型ユニフォームは、前身頃、後身頃、及び左右一対の袖を有するユニフォーム本体を有し、該ユニフォーム本体には、襟、左右の肩、左右の脇、前記前身頃の裾に、それぞれ留め手段が設けられており、
前記ユニフォーム本体には、前記前身頃の前面に配置される飾り胸当、前記襟の周縁に配置される飾り襟、前記左右の肩の一方から左右反対側の裾に斜めに配置される環状の飾りたすき、及び前記左右の肩の一方から左右反対側の裾に斜めにかつ前記前身頃の前面に配置される飾り帯から選ばれた、少なくとも一つの取替パーツが、前記留め手段を介して着脱可能に取付けられるように構成されていることを特徴とする。
【０００９】
上記発明によれば、ユニフォーム本体の、襟、左右の肩、左右の脇、前身頃の裾の各部分に、それぞれ留め手段が設けられていることにより、飾り胸当、飾り襟、飾りたすき、飾り帯から選ばれた取替パーツを着脱可能に取付けることができるので、ユニフォームのデザインを、目的や好みに応じて自由にかつ大きく変更することができる。すなわち、異なるデザインのユニフォームが求められている場合であっても、ユニフォーム本体に対して取替パーツを適宜着脱するだけで対応することができ、その結果、ユニフォーム本体を共通化することができるので、製造コストを低減して、低価格のユニフォームを提供することが可能となる。
【００１０】
本発明のパーツ取替型ユニフォームは、前記ユニフォーム本体の左右の肩には肩章が配置され、この肩章で覆われた部分に前記留め手段が設けられており、
同ユニフォーム本体の脇には、前記留め手段を有する帯状片が延設されていると共に、同帯状片を収容可能なポケットが形成されており、
更に前記前身頃の裾の裏側に前記留め手段が設けられていることが好ましい。
【００１１】
この態様によれば、肩章で覆われた位置、脇に延設された帯状片、更に前身頃の裾の裏側に、それぞれ留め手段が設けられているので、飾り胸当を、左右又は上下に位置ずれすることなく、ユニフォーム本体の所定箇所にしっかりと取付けることができる。また、肩章で覆われた留め手段及び前身頃の裾の裏側の留め手段を用いれば、環状の飾りたすきや飾り帯も位置ずれすることなく、取付けることができる。
【００１２】
また、留め手段を設けた脇の帯状片はポケットに収容され、肩の留め手段も肩章で覆われ、前身頃の裾の留め手段も裏側に配置されていて、見えない位置に留め手段が形成されているので、見栄えを向上させることができる。
【００１３】
本発明のパーツ取替型ユニフォームは、前記留め手段は、面ファスナーの雄又は雌部材で構成されており、前記取替パーツには、前記留め手段に係合可能な雌又は雄の面ファスナーが取付けられていることが好ましい。この態様によれば、ユニフォーム本体側の留め手段として、面ファスナーの雄又は雌部材が用いられ、取替パーツに、それに係合する雌又は雄の面ファスナーを取付けたので、これらの面ファスナーの雄雌部材によって、ユニフォーム本体に各種取替パーツをワンタッチで簡単に取付けることができる。
【００１４】
本発明のパーツ取替型ユニフォームは、前記取替パーツは、前記ユニフォーム本体の各袖の先端外周に配置され、同袖の長さを延長する延長袖であることが好ましい。この態様によれば、取替パーツとして更に延長袖を採用したことにより、袖部の飾りとなると共に、袖の長さが足りない場合でも、延長袖を取付けるだけで、簡単に袖の長さを延長することができ、利便性が向上する。
【発明の効果】
【００１５】
本発明によれば、ユニフォーム本体の、襟、左右の肩、左右の脇、前身頃の裾の各部分に、それぞれ留め手段が設けられていることにより、飾り胸当、飾り襟、飾りたすき、飾り帯から選ばれた取替パーツを着脱可能に取付けることができるので、ユニフォームのデザインを、目的や好みに応じて自由にかつ大きく変更することができる。すなわち、異なるデザインのユニフォームが求められている場合であっても、ユニフォーム本体に対して取替パーツを適宜着脱するだけで対応することができ、その結果、ユニフォーム本体を共通化することができるので、製造コストを低減して、低価格のユニフォームを提供することが可能となる。
【図面の簡単な説明】
【００１６】
【図１】本発明のパーツ取替型ユニフォームの一実施形態を示しており、同パーツ取替型ユニフォームを構成するユニフォーム本体の正面斜視図である。
【図２】同ユニフォーム本体の背面斜視図である。
【図３】同ユニフォーム本体の正面側における要部拡大斜視図である。
【図４】本発明のパーツ取替型ユニフォームを構成する、取替パーツの一つである飾り胸当を示しており、（ａ）は正面図、（ｂ）は背面図である。
【図５】同取替パーツの一つである飾り襟を示しており、（ａ）は正面図、（ｂ）は背面図である。
【図６】同飾り襟をユニフォーム本体に取付けた状態を示す斜視図である。
【図７】（ａ）は取替パーツの一つである飾りたすきを示す斜視図、（ｂ）は取替パーツの一つである飾り帯を示す斜視図である。
【図８】同取替パーツの一つである延長袖を示しており、（ａ）は説明図、（ｂ）は斜視図である。
【図９】本発明のパーツ取替型ユニフォームの使用状態を示す斜視図である。
【発明を実施するための形態】
【００１７】
以下、図面を参照して、本発明のパーツ取替ユニフォームの一実施形態について説明する。
【００１８】
この実施形態におけるパーツ取替ユニフォームは、例えば、マーチングバンドにおける楽器奏者や、カラーガード、バトントワラーなどが着用するユニフォームや、官憲・軍隊等のユニフォーム、スポーツ競技におけるユニフォーム、作業用のユニフォーム、その他のユニフォームに適用することができる。
【００１９】
このパーツ取替ユニフォーム１０（以下、単に「ユニフォーム１０」という）は、ユニフォーム本体２０（図１〜３参照）と、該ユニフォーム本体２０に着脱可能に取付けられる複数の取替パーツ（図４〜８参照）とから構成されている。
【００２０】
まず、ユニフォーム本体２０について説明する。このユニフォーム本体２０は、着用者の胴体前面（胸・腹部側）を覆う前身頃２１と、着用者の胴体後面（背中側）を覆う後身頃２３と、両身頃２１，２１の左右両脇２５，２５の上方に取付けられて、両腕を覆う左右一対の袖２７，２７とを有している（図１，２参照）。前身頃２１及び後身頃２３の上部中央には、首を囲むネック開口部が設けられており、このネック開口部の周縁から襟２９が立設されている。図２に示すように、この襟２９の背面部及び前記後身頃２３の幅方向中央には、開閉可能なスライドファスナー３１が上下方向に沿って取付けられている。したがって、このスライドファスナー３１を開けることにより、襟２９及び後身頃２３が左右に分割されて、ユニフォーム本体２０を着用できるようになっている。
【００２１】
同ユニフォーム本体２０の左右の肩３３，３３の外側周縁からは、外方に向かって肩パッド３５，３５が突設されている。また、肩３３，３３には、帯状をなした肩章３７が開閉可能に取付けられている。これについて説明すると、肩３３の外側縁部に肩章３７の一端部が固着されており、同肩章３７の尖った形状をなした他端部にボタン係合溝３７ａが形成されている。また、肩３３の襟２９の近傍にボタン３３ｂが取付けられている。このボタン３３ｂが前記肩章３７のボタン係合溝３７ａに係合することにより、肩章３７が閉じるようになっている（図１，２参照）。
【００２２】
前身頃２１及び後身頃２３は、上述したように、左右両脇上方に一対の袖２７，２７を縫合すると共に、更に左右両脇２５，２５をそれぞれ重ね合わせ、重ね合わせた部分を縫合することにより一体化されている。この実施形態においては、図３に示すように、脇２５の上下端部のみを縫合し、脇２５の中間部分を縫合せずに残すことにより、開口したポケット３９が形成されている。更に、脇２５の中間部分の未縫合部分には、ポケット３９の開口幅にほぼ適合した幅で、所定長さの帯状片４１が取付けられている。この帯状片４１は、常時は前記ポケット３９内に収容されていて、必要に応じてポケット３９から取出されるようになっている。
【００２３】
また、前身頃２１の下方からは、２つの山型状突片が下方に向けて延設されていて、その下方縁部がジグザグ状をなしている。このジグザグ状の下方縁部が、前身頃２１の裾４３をなしている。
【００２４】
そして、このユニフォーム１０のユニフォーム本体２０には、前述した各構成部分、すなわち、襟２９、左右の肩３３，３３、左右の脇２５，２５、前身頃２１の裾４３に、後述する各種取替パーツをユニフォーム本体２０に対して着脱可能に取付けるための留め手段がそれぞれ設けられている。この実施形態における留め手段は、面ファスナーの雄部材（フックが起毛している部材）又は雌部材（フックに係合するループが起毛している部材）で構成されている。
【００２５】
各構成部分における留め手段が設けられた箇所について説明すると、まず、襟２９の裏側内周に、複数の面ファスナー２９ａが設けられている。この実施形態では、襟２９の左右に半割される部分に２つずつ、合計４つの小片状の面ファスナー２９ａが取付けられている（図１〜３参照）。また、左右の肩３３，３３には、開閉可能に取付けられた肩章３７で覆われる部分に、肩章３７よりもやや短い帯状の面ファスナー３３ａ，３３ａがそれぞれ取付けられている。更に、左右の両脇２５，２５には、ポケット３９に収容される各帯状片４１の先端部に、帯状の面ファスナー４１ａ，４１ａがそれぞれ取付けられている。また、前身頃２１の裾４３については、左右外側の斜め縁部の裏側に、帯状の面ファスナー４３ａ，４３ａがそれぞれ取付けられている。このように、各面ファスナー２９ａ，３３ａ，４１ａ，４３ａは、外部からは見えない位置に取付けられている。なお、各面ファスナー２９ａ，３３ａ，４１ａ，４３ａは、ファスナーを構成する雄部材（フック側）又は雌部材（ループ側）のどちらでもよいが、感触の点で好ましくは雌部材が用いられる。
【００２６】
また、ユニフォーム本体２０に設ける留め手段としては、上記の面ファスナーだけでなく、スライダー及び一対のエレメントからなるスライドファスナー（いわゆる線ファスナー）におけるエレメントの一方であってもよく、ボタン、ホック、スナップ等及びそれらに係合する穴からなる、いわゆる点ファスナーの一方の部材であってもよく、特に限定されるものではない。
【００２７】
そして、このユニフォーム１０は、飾り胸当、飾り襟、飾りたすき、飾り帯から選ばれた少なくとも一つの取替パーツを有している。また、この実施形態における各取替パーツには、前記ユニフォーム本体２０の襟２９、肩３３、脇２５、裾４３に設けた各面ファスナー２９ａ，３３ａ，４１ａ，４３ａに係合可能な面ファスナーが取付けられている。なお、取替パーツ側の面ファスナーは、前記ユニフォーム本体２０側の面ファスナーの雄部材又は雌部材に係合する、雌部材又は雄部材となっている。以下、各取替パーツについて図４〜８を参照して説明する。
【００２８】
図４（ａ），（ｂ）には、取替パーツの一つである飾り胸当５０が示されている。この飾り胸当５０は、ユニフォーム本体２０を構成する前身頃２１の前面に配置されるもので、基本的には前身頃２１と同様の形態をなしている。
【００２９】
この実施形態における飾り胸当５０は、その表側中央に所定のデザインが施されている。同飾り胸当５０の、上方中央に設けられたＵ字状ネック凹部の両側部分の裏側には、肩３３の面ファスナー３３ａに係合する帯状の面ファスナー５０ａ，５０ａがそれぞれ取付けられている。また、同飾り胸当５０の左右両側に延出した部分の裏側には、脇２５の各帯状片４１の面ファスナー４１ａに係合する帯状の面ファスナー５０ｂ，５０ｂがそれぞれ取付けられている。更に、同飾り胸当５０の下方両側の斜め縁部には、折り曲げ可能な折曲片５１，５１がそれぞれ取付けられており、各折曲片５１の裏面側に帯状の面ファスナー５１ａが固着されている。この折曲片５１の面ファスナー５１ａは、裾４３裏側の面ファスナー４３ａに係合するようになっている。
【００３０】
図５，６には、ユニフォーム本体２０における襟２９の周縁に取付けられる飾り襟５２が示されている。図５（ａ），（ｂ）に示すように、この飾り襟５２は、襟２９内周に配置されるカラー５３と、該カラー５３の長手方向に沿った一側辺に折り曲げ可能に取付けられ、襟２９外周に配置される左右一対の突片５４，５４とからなる。前記カラー５３の裏側に、襟２９の各面ファスナー２９ａに係合する面ファスナー５３ａが複数取付けられている。
【００３１】
図７（ａ）には、ユニフォーム本体２０の左右両肩３３，３３の一方から、左右反対側の裾４３に斜めに配置される環状の飾りたすき５５が示されている。この飾りたすき５５は、所定長さで帯状に伸びると共に、その中間部分で折り曲げられた形状をなし、表側には所定のデザインが施されている。また、飾りたすき５５の中間部分の裏側には、肩３３の面ファスナー３３ａに係合する面ファスナー５５ａが取付けられている。更に同飾りたすき５５の両端部の裏側には、雌雄一対の面ファスナー５５ｂ，５５ｂが取付けられており、両ファスナー５５ｂ，５５ｂが互いに係合することにより、飾りたすき５５の両端が連結されて環状をなすようになっている。
【００３２】
図７（ｂ）には、ユニフォーム本体２０の左右両肩３３，３３の一方から、左右反対側の裾４３に斜めにかつ前身頃２１の前面に配置される飾り帯５７が示されている。この飾り帯５７の一端には、肩３３の面ファスナー３３ａに係合する面ファスナー５７ａが取付けられている。同飾り帯５７の他端からは、折り曲げ可能な折曲片５８が延設されており、同折曲片５８の裏側に、裾４３裏側の面ファスナー４３ａに係合する面ファスナー５８ａが取付けられている。
【００３３】
更にこの実施形態におけるユニフォーム１０には、取替パーツとして、図８に示す延長袖５９を有している。図８（ａ）に示すように、この延長袖５９は、所定長さでやや湾曲した略扇形状をなしており、その長手方向の両端部に、雌雄一対の面ファスナー５９ａ，５９ｂが取付けられている。両ファスナー５９ａ，５９ｂを互いに係合させることにより、延長袖５９の両端が連結されて腕輪状をなすようになっている。
【００３４】
次に、上記構造からなる本発明のユニフォームの使用方法について説明する。
【００３５】
このユニフォーム１０では、以下のようにして、ユニフォーム本体２０に各種取替パーツを着脱可能に取付けることができる。図９には、ユニフォーム本体２０に、飾り胸当５０、飾り襟５２、飾りたすき５５、延長袖５９が取付けられた状態が示されている。
【００３６】
飾り胸当５０をユニフォーム本体２０に取付ける際には、まず、両脇２５，２５のポケット３９に収容された帯状片４１，４１をそれぞれ取り出して、その面ファスナー４１ａが前身頃２１の表側に配置されるように帯状片４１を折り曲げておく。これと共に、肩章３７のボタン係合溝３７ａからボタン３３ｂを外して、左右両方の肩章３７，３７を外側に開き、肩章３７で覆われた肩３３の面ファスナー３３ａ，３３ａを露出させておく。
【００３７】
この状態で、ユニフォーム本体２０の左右両肩３３，３３、左右両脇２５，２５、及び、左右の裾４３，４３の各部分に、飾り胸当５０の対応する部分をそれぞれ整合させて、前身頃２１の表面側に飾り胸当５０を重ね合わせる。
【００３８】
そして、肩３３の面ファスナー３３ａに、飾り胸当５０の対応部分の面ファスナー５０ａを係合させると共に、帯状片４１の面ファスナー４１ａに、同飾り胸当５０の対応部分の面ファスナー５０ｂを係合させる。更に、飾り胸当５０の下方の折曲片５１を、裾４３を挟み込むように折り曲げて、同折曲片５１の面ファスナー５１ａを、裾４３裏側の面ファスナー４３ａに係合させる。その結果、図９に示すように、ユニフォーム本体２０の前身頃２１の表側に、飾り胸当５０を取付けることができる。なお、肩章３７は再び内側に閉じて、そのボタン係合溝３７ａにボタン３３ｂを係合させて、肩章３７を閉じた状態に保持する。
【００３９】
飾り襟５２をユニフォーム本体２０に取付ける際には、図５に示す状態の飾り襟５２を、面ファスナー５３ａが外周側となるように、カラー５３を環状に撓ませて、その状態でユニフォーム本体２０の襟２９内周にカラー５３を挿入する。そして、飾り襟５２の複数の面ファスナー５３ａを、襟２９内周の複数の面ファスナー２９ａにそれぞれ係合させる。その後、カラー５３から立ち上がった左右一対の突片５４，５４を折り曲げて、襟２９外周に配置することにより、図６及び図９に示すように、襟２９の周縁に留め手段を介して飾り襟５２を取付けることができる。
【００４０】
飾りたすき５５をユニフォーム本体２０に取付ける際には、左右一方の肩３３における肩章３７を外側に開いて、その面ファスナー３３ａを露出させる。そして、飾りたすき５５を開いて、ユニフォーム本体２０に斜めに引き掛け、その中間部裏側の面ファスナー５５ａを肩３３の面ファスナー３３ａに係合させると共に、同飾りたすき５５両端の面ファスナー５５ｂ、５５ｂどうしを係合させることにより、飾りたすき５５が環状に連結される。その結果、環状の飾りたすき５５を、左右両肩３３，３３の一方から左右反対側の裾４３に向けて、斜めに引き掛けるように配置することができる。その後、肩章３７を内側に閉じた状態に保持する。
【００４１】
なお、この飾りたすき５５は、図９に示すように、前身頃２１に飾り胸当５０が取付けられた状態であっても、ユニフォーム本体２０に取付けることができる。すなわち、飾りたすき５５の長手方向途中部分を、環状に閉じた状態の肩章３７に引き掛けると共に、両端の面ファスナー５５ｂ、５５ｂどうしを係合させることにより、ユニフォーム本体２０に対して飾りたすき５５を外れないように取付けることができる（図９参照）。なお、この場合における本発明の留め手段は、肩３３に取付けられた肩章３７となる。
【００４２】
飾り帯５７をユニフォーム本体２０に取付ける際には、左右一方の肩３３における肩章３７を外側に開いて、その面ファスナー３３ａを露出させた後、この面ファスナー３３ａに飾り帯５７の一端裏側の面ファスナー５７ａを係合させると共に、同飾り帯５７の他端の折曲片５８を、一端を係合させた肩３３とは左右反対側の裾４３を挟み込むようにして折り曲げて、その面ファスナー５８ａを裾４３裏側の面ファスナー４３ａに係合させる。その結果、飾り帯５７を、左右両肩３３，３３の一方から左右反対側の裾４３に向けて、斜めにかつ前身頃２１の前面に配置することができる。その後、肩章３７を内側に閉じた状態に保持する。
【００４３】
以上のように、このユニフォーム１０においては、ユニフォーム本体２０の、襟２９、左右の肩３３，３３、左右の脇２５，２５、前身頃２１の裾４３の各部分に、それぞれ留め手段が設けられていることにより、飾り胸当５０、飾り襟５２、飾りたすき５５、飾り帯５７から選ばれた取替パーツを着脱可能に取付けることができるので、目的や好みに応じて各種取替パーツを選択して上記取付方法で取付けることにより、ユニフォーム１０のデザインを自由にかつ大きく変更することができる。すなわち、異なるデザインのユニフォームが求められている場合であっても、ユニフォーム本体２０に対して、各種の取替パーツを適宜着脱するだけで対応することができ、その結果、ユニフォーム本体２０を共通化することができるので、製造コストを低減して、低価格のユニフォーム１０を提供することができる。
【００４４】
また、例えば、マーチングバンド等のユニフォームとしては、入門段階・練習段階では装飾品が少なく比較的シンプルなデザインのユニフォームを着用し、パレード本番時においては、装飾品が多く見栄えの良いデザインのユニフォームを着用することがある。このような場合、このユニフォーム１０においては、着用者のレベルに応じて各種取替パーツを追加購入することにより、柔軟に対応することができ、着用者にとっての利便性を高めることができると共に、長期に亘って用いることができ経済的となる。また、ユニフォームのメーカーとしても、ライフサイクルの長い製品を提供することができ、製造コストをより低減することができる。
【００４５】
更に、この実施形態のユニフォーム１０においては、ユニフォーム本体２０の左右の肩３３、同ユニフォーム本体２０の脇２５の帯状片４１、前身頃２１の裾４３の裏側の各箇所に留め手段（面ファスナー３３ａ，４１ａ，４３ａ）がそれぞれ設けられているので、前述した取付方法によって、飾り胸当５０を、左右又は上下に位置ずれすることなく、ユニフォーム本体２０の所定箇所にしっかりと取付けることができる。また、肩章３７で覆われた留め手段（面ファスナー３３ａ）及び前身頃２１の裾４３の裏側の留め手段（面ファスナー４３ａ）を用いることにより、環状の飾りたすき５５や、飾り帯５７も位置ずれすることなく、しっかりと取付けることができる。
【００４６】
また、留め手段である面ファスナー４１ａを設けた左右両脇２５，２５の各帯状片４１は、常時はポケット３９に収容されている共に、肩３３の留め手段である面ファスナー３３ａも肩章３７で覆われており、更に、前身頃２１の裾４３の留め手段である面ファスナー４３ａも裏側に配置されていて、いずれの留め手段も外部からは見えない位置に形成されているので、ユニフォームの見栄えを向上させることができる。
【００４７】
更に、この実施形態のユニフォーム１０においては、ユニフォーム本体側の留め手段として、面ファスナーの雄又は雌部材が用いられ、取替パーツに、それに係合する雌又は雄の面ファスナーを取付けたので、これらの面ファスナーの雄雌部材によって、ユニフォーム本体２０に各種取替パーツをワンタッチで簡単に取付けることができる。
【００４８】
また、この実施形態のユニフォーム１０においては、取替パーツとして更に延長袖５９を採用したので、袖部の飾りとなると共に、ユニフォーム本体２０の袖の長さが足りない場合でも、延長袖５９を取付けるだけで、簡単に袖の長さを延長することができ、利便性を向上させることができる。
【符号の説明】
【００４９】
１０  パーツ取替ユニフォーム（ユニフォーム）
２０  ユニフォーム本体
２１  前身頃
２３  後身頃
２５  脇
２７  袖
２９  襟
２９ａ  面ファスナー
３１  スライドファスナー
３３  肩
３３ａ  面ファスナー
３３ｂ  ボタン
３５  肩パッド
３７  肩章
３７ａ  ボタン係合溝
３９  ポケット
４１  帯状片
４１ａ  面ファスナー
４３  裾
４３ａ  面ファスナー
５０  飾り胸当
５０ａ，５０ｂ  面ファスナー
５１  折曲片
５１ａ  面ファスナー
５２  飾り襟
５３  カラー
５３ａ  面ファスナー
５４  突片
５５  飾りたすき
５５ａ  面ファスナー（中間部）
５５ｂ  面ファスナー（両端部）
５７  飾り帯
５７ａ  面ファスナー
５８  折曲片
５８ａ  面ファスナー
５９  延長袖
５９ａ，５９ｂ  面ファスナー
【図１】
2010261129.tif 000003
【図２】
2010261129.tif 000004
【図３】
2010261129.tif 000005
【図４】
2010261129.tif 000006
【図５】
2010261129.tif 000007
【図６】
2010261129.tif 000008
【図７】
2010261129.tif 000009
【図８】
2010261129.tif 000010
【図９】
2010261129.tif 000011